(57)【要約】【課題】予め内容液自体に香りを付与しなくても、香り付きの泡状混合物を吐出することができる新たな吐出容器を提供する。【解決手段】容器本体Ｃ内に収容された内容液と空気との混合物を、泡状にして吐出させる吐出容器１０であって、内容液と空気とが混合される合流空間Ｇと、混合物を泡状にする発泡部材１２と、泡状の混合物を吐出させる吐出口１４ｈと、芳香剤Ａを収容する芳香剤収容空間１５ａを有する芳香剤保持部１５と、を備え、外部の空気を取り込む外気導入口１４ｄから合流空間Ｇまでの空気流路に、芳香剤収容空間１５ａが連通するように構成されていることを特徴とする。【選択図】図１
2018016406.tif 000002
【特許請求の範囲】
【請求項１】
容器本体内に収容された内容液と空気との混合物を泡状にして吐出させる吐出容器であって、
前記内容液と空気とが混合される合流空間と、
前記混合物を泡状にする発泡部材と、
前記泡状の混合物を吐出させる吐出口と、
芳香剤を収容する芳香剤収容空間を有する芳香剤保持部と、を備え、
外部の空気を取り込む外気導入口から前記合流空間までの空気流路に、前記芳香剤収容空間が連通するように構成されている、吐出容器。
【請求項２】
前記容器本体の口部に保持されるベースキャップと、
該ベースキャップに対して上下動可能に保持されるとともに前記吐出口を有するノズルヘッドと、
前記ベースキャップにより前記容器本体に保持され、前記ノズルヘッドの押し下げ及び復帰動作により内容液を容器本体内から吸上げ前記合流空間に向けて圧送する内容液用ポンプと、
前記ベースキャップにより前記内容液用ポンプとともに前記容器本体に保持され、前記ノズルヘッドの押し下げ及び復帰動作により外部の空気を取り込み前記合流空間に向けて圧送する空気用ポンプと、を備える、請求項１に記載の吐出容器。
【請求項３】
前記芳香剤保持部が、前記容器本体の内部で、前記空気用ポンプを構成するシリンダーに対して着脱可能に装着されており、
該シリンダーに設けた孔を介して前記芳香剤収容空間が前記空気流路に連通している、請求項２に記載の吐出容器。
【請求項４】
前記芳香剤保持部が、前記ノズルヘッドに着脱可能に装着されており、
該ノズルヘッドに設けた孔を介して前記芳香剤収容空間が前記空気流路に連通している、請求項２に記載の吐出容器。
【発明の詳細な説明】
【技術分野】
【０００１】
本発明は、内容液と空気との混合物を泡状に吐出させる吐出容器に関するものである。
【背景技術】
【０００２】
シャンプー、ボディソープ、ハンドソープ、洗顔料等を充填した吐出容器では、内容液の泡立て動作を省略して簡便な使用を図る観点から、容器内の内容液を直接泡状にして吐出することができる吐出容器が多用されている。
【０００３】
かかる吐出容器は、容器本体の口部に保持されるベースキャップに、内容液を吸引、加圧、圧送を行うピストンと、空気の吸引、加圧、圧送を行うエアーピストンをそれぞれ同心に直列で配置した単一のシリンダーが取り付けられている。そして、ノズルヘッドを押圧して各ポンプ内のピストンを駆動させることで、内容液と空気をそれぞれ各シリンダー内に吸引するとともに加圧、圧送し、ポンプの出口側における合流空間にて内容液と空気を相互に混合させつつメッシュ等の発泡部材を通過させることによって、内容液を泡状にして吐出させる仕組みになっている（例えば、特許文献１参照）。
【先行技術文献】
【特許文献】
【０００４】
【特許文献１】特開平８−２３０９６１号公報
【発明の概要】
【発明が解決しようとする課題】
【０００５】
ところで、このような吐出容器において、吐出される泡に香りを付与したいという要望がある。容器本体内に充填する前に、内容液に予め香りを付けることも考えられるが、香りを付与する手間が掛かるのみならず、香りを付与したことで内容液の性質が変化してしまう虞もあるという問題があった。
【０００６】
それゆえ本発明は、予め内容液自体に香りを付与しなくても、香り付きの泡状混合物を吐出することができる新たな吐出容器を提供することにある。
【課題を解決するための手段】
【０００７】
本発明は、上記課題を解決するためになされたものであり、本発明の吐出容器は、容器本体内に収容された内容液と空気との混合物を泡状にして吐出させる吐出容器であって、
前記内容液と空気とが混合される合流空間と、
前記混合物を泡状にする発泡部材と、
前記泡状の混合物を吐出させる吐出口と、
芳香剤を収容する芳香剤収容空間を有する芳香剤保持部と、を備え、
外部の空気を取り込む外気導入口から前記合流空間までの空気流路に、前記芳香剤収容空間が連通するように構成されていることを特徴とする。
【０００８】
また、本発明の吐出容器にあっては、前記容器本体の口部に保持されるベースキャップと、
該ベースキャップに対して上下動可能に保持されるとともに前記吐出口を有するノズルヘッドと、
前記ベースキャップにより前記容器本体に保持され、前記ノズルヘッドの押し下げ及び復帰動作により内容液を容器本体内から吸上げ前記合流空間に向けて圧送する内容液用ポンプと、
前記ベースキャップにより前記内容液用ポンプとともに前記容器本体に保持され、前記ノズルヘッドの押し下げ及び復帰動作により外部の空気を取り込み前記合流空間に向けて圧送する空気用ポンプと、を備えることが好ましい。
【０００９】
また、本発明の吐出容器にあっては、前記芳香剤保持部が、前記容器本体の内部で、前記空気用ポンプを構成するシリンダーに対して着脱可能に装着されており、
該シリンダーに設けた孔を介して前記芳香剤収容空間が前記空気流路に連通していることが好ましい。
【００１０】
また、本発明の吐出容器にあっては、前記芳香剤保持部が、前記ノズルヘッドに着脱可能に装着されており、
該ノズルヘッドに設けた孔を介して前記芳香剤収容空間が前記空気流路に連通していることが好ましい。
【発明の効果】
【００１１】
本発明によれば、予め内容液自体に香りを付与しなくても、香り付きの泡状混合物を吐出することができる新たな吐出容器を提供することができる。
【図面の簡単な説明】
【００１２】
【図１】本発明に従う吐出容器の一実施形態を、容器本体の口部に装着した状態で示す断面図である。
【図２】図１の状態からノズルヘッドを押し下げた様子を示す部分拡大断面図である。
【図３】本発明に従う吐出容器の他の実施形態を、容器の口部に装着した状態で示す断面図である。
【図４】（ａ）は、図３の芳香剤保持部及びノズルヘッドを示す平面であり、（ｂ）は、図３の芳香剤保持部をノズルヘッドに装着する様子を示す図である。
【図５】図３の状態からノズルヘッドを押し下げた様子を示す部分拡大断面図である。
【発明を実施するための形態】
【００１３】
以下、図面を参照して、本発明である吐出容器の実施形態を詳細に説明する。なお、本願明細書、特許請求の範囲、要約書、及び図面において「上」方向、「下」方向とは、吐出容器を使用する状態での鉛直方向上下をそれぞれ示す。
【００１４】
図１は、本発明の一実施形態に係る吐出容器１０を、容器本体Ｃの口部に装着した状態で示す断面図であって、後述するノズルヘッド１４が押し下げ可能な状態（初期姿勢）を示している。なお、容器本体Ｃは円筒状の口部、胴部、底部を備えたボトル形状とすることができるが、口部に連なる内容液の収容空間を有するものであれば、形状は特に限定されるものではない。
【００１５】
図１において、符号１は、容器本体Ｃの口部に保持されるベースキャップである。ベースキャップ１は、天面壁１ａの縁部より垂下される外壁１ｂを有していて、外壁１ｂの内側に設けたねじ部を容器本体Ｃの口部に設けたねじ部にねじ込むことで着脱自在に保持される。なお、ベースキャップ１を容器本体Ｃに保持するには、アンダーカット等の構成を用いてもよい。また、天面壁１ａの中央には上方へ向けて起立する中空頸部１ｃを設けている。中空頸部１ｃには、その上部に径方向外側に突出する環状の凸部１ｄが設けられ、その内周面に上下方向に延びるリブ１ｅが設けられている。
【００１６】
内容液用ポンプ２及び空気用ポンプ３は、ベースキャップ１によって容器本体Ｃの口部に垂下保持され、内容液と空気とをそれぞれ個別に吸引、加圧、圧送することができる。内容液用ポンプ２及び空気用ポンプ３は、小径筒体４ａと、小径筒体４ａの上部に一体連結する底部を備えた大径筒体４ｂとが、同軸に直列状に配置された形態をなす、単一のシリンダー４を備えている。シリンダー４の上方には径方向外側に延在するフランジが設けられていて、容器本体Ｃに垂下保持されるにあたっては、このフランジの下面側にパッキンを設け、容器本体Ｃの口部との間でパッキンを挟み込むようにしている。
【００１７】
ここで、内容液用ポンプ２は、小径筒体４ａの底部において、容器本体Ｃ内の内容液を流入させる吸引口４ｃを有している。また吸引口４ｃの縁部には、容器本体Ｃの底部に向けて延在する吸引パイプｐを嵌合保持するための嵌合筒４ｄを設けている。また小径筒体４ａ内には、小径筒体４ａの内周面に当接するとともにその軸線に沿って摺動可能に設けられた中空ピストン５が配され、中空ピストン５の内側に形成される内部通路ｔには、ポペット６が配される。
【００１８】
ポペット６は、その下端に吸引口４ｃの開閉を行う弁部６ａを有し、その上端に内部通路ｔの出口の開閉を行う弁部６ｂを有している。そして、中空ピストン５の外側には、中空ステム７を配している。
【００１９】
中空ステム７は、中空ピストン５を取り囲む下部筒状壁７ａと、下部筒状壁７ａの上部にて一体的に連結するフランジ（中間フランジ）７ｂと、下部筒状壁７ａの上方に連なる上部筒状壁７ｃとを備えている。また、ポペット６と中空ピストン５との間には、スプリング８が配されている。このようにして、中空ピストン５及び中空ステム７はスライド可能に弾性支持されている。
【００２０】
また中間フランジ７ｂには、その上面から起立する環状壁７ｄが設けられている。上部筒状壁７ｃの上部には、ボール弁体Ｂの弁座となる環状の弁座部７ｅが径方向内側に突出するように設けられている。上部筒状壁７ｃの上端部には、上部筒状壁７ｃに嵌合保持されるとともにボール弁体Ｂの抜け出しを阻止するカバー部材９が設けられている。上部筒状壁７ｃの内側において、弁座部７ｅとカバー部材９に囲まれた空間が、内容液と空気とが合流して混合される合流空間Ｇとなる。
【００２１】
カバー部材９は、環状をなし、上部筒状壁７ｃの内側に保持される下部壁９ａと、下部壁９ａの上部に一体連結される上部壁９ｂとを備えている。下部壁９ａの外周面には、上部筒状壁７ｃとの間に空気流路となる隙間を形成するための溝部９ｃが形成されている。上部壁９ｂの内側には発泡部材（メッシュリング）１２が設けられている。本実施形態のメッシュリング１２は、リング状となる本体部の一端部にメッシュが取り付けられたものである。また、本実施形態では総計２個のメッシュリング１２を、それぞれのメッシュが外側を向くように（メッシュを設けていない側が合わせ目となるように）してカバー部材９の上部壁９ｂに取り付けている。なお、発泡部材１２はメッシュリングに限らず、スポンジ等の他の構成を採用可能である。
【００２２】
図１に示すように空気用ポンプ３は、大径筒体４ｂの内周面に当接するとともにその軸線に沿って摺動可能に設けられたエアーピストン１３を備えている。エアーピストン１３は、中空ステム７を取り囲む筒状ガイド１３ａを備え、中空ステム７と筒状ガイド１３ａとの相互間に形成される隙間は、空気を通す空気流路となっている。
【００２３】
なお、初期姿勢において、筒状ガイド１３ａの下端は、中間フランジ７ｂ及び環状壁７ｄの少なくとも一方に当接するように構成されている。また、後述するように中空ステム７は、エアーピストン１３に対して僅かにスライド可能となっていて、筒状ガイド１３ａの下端が、中間フランジ７ｂ及び環状壁７ｄの少なくとも一方に当接、離反することで、シリンダー４内から合流空間Ｇへ向かう空気流路を開閉する弁として機能する。また、筒状ガイド１３ａから径方向外側に延在して大径筒体４ｂとの相互間に空気を加圧するための空間を形成する隔壁１３ｂには、大径筒体４ｂ内に空気を導入する開孔１３ｃが設けられている。また、筒状ガイド１３ａの下部には、開孔１３ｃを開閉する逆止弁１１が嵌合保持されている。
【００２４】
そして、中空ステム７の上方には、ノズルヘッド１４が設けられている。ノズルヘッド１４はベースキャップ１に対して上下動可能に配置され、中空ステム７、中空ピストン５等を介してスプリング８によって上方付勢されている。
【００２５】
ノズルヘッド１４は、筒状の内周壁１４ａと、内周壁１４ａの外側に位置する筒状の外周壁１４ｂとを備えている。内周壁１４ａは、中空ステム７の上部筒状壁７ｃに嵌合保持されており、内周壁１４ａの内側には、メッシュリング１２を保持するカバー部材９が配置されている。また、内周壁１４ａの下端部は、筒状ガイド１３ａの上端部を取り囲んでいる。内周壁１４ａの内周面には、上部筒状壁７ｃの外周面との間に空気流路を形成するための縦溝１４ｃが設けられている。なお、縦溝１４ｃは、内周壁１４ａの軸線に沿って上下方向に延在し縦溝１４ｃは、溝部９ｃに連通している。
【００２６】
外周壁１４ｂは、図２にも示すように、ノズルヘッド１４を押し下げた際にベースキャップ１の中空頸部１ｃの径方向外側に位置するものであり、外周壁１４ｂの下端開口が、空気用ポンプ３内に外気を導入するための外気導入口１４ｄとなる。本実施形態では、外周壁１４ｂの下端部には、環状部材１４ｅが嵌合保持されており、環状部材１４ｅには、図１に示す初期姿勢において、ベースキャップ１の凸部１ｄに近接する環状の凸部１４ｆが設けられている。本実施形態では、図１に示す初期姿勢にて、凸部１ｄと凸部１４ｆとの間に隙間が形成されているが、当接していてもよい。何れの場合にも、ノズルヘッド１４の押し下げた際には、外気導入口１４ｄが開放され、外周壁１４ｂと中空頸部１ｃの外周面との間に空気流路となる隙間が形成されることとなる。外気導入口１４ｄから取り込まれた空気は、内周壁１４ａと中空頸部１ｃとの間の隙間（空気流路）を介して、シリンダー４内におけるエアーピストン１３の上方の空間に移動することとなる。なお、図示は省略するが、外周壁１４ｂに孔や切り欠き等を設けることにより、外気を導入可能な構成としてもよい。
【００２７】
ノズルヘッド１４は、前方に向けて延びる筒状のノズル１４ｇを有する。ノズル１４ｇの内部は泡状混合物の流路であり、内周壁１４ａの内側の空間に連通している。ノズル１４ｇの先端が、泡状の混合物を外部に吐出する吐出口１４ｈとなっている。
【００２８】
ここで、本実施形態の吐出容器１０は、芳香剤Ａが収容された芳香剤収容空間１５ａを有する芳香剤保持部１５を備えている。芳香剤Ａは、固体のものに限らず、液体等としてもよい。図１に示すように、本実施形態において芳香剤保持部１５は、容器本体Ｃの内部で、空気用ポンプ３を構成する大径筒体４ｂに対して着脱可能に装着されている。芳香剤保持部１５は、シリンダー４の大径筒体４ｂと略同径の外筒部１５ｂと、外筒部１５ｂの内側に位置する内筒部１５ｃと、外筒部１５ｂ及び内筒部１５ｃを連結する環状の底壁１５ｄと、を備えている。外筒部１５ｂは、大径筒体４ｂの底部から下方に突出する係合筒部４ｆとねじ係合している。なお、本実施形態では、芳香剤保持部１５がねじ係合によって保持される構成としているが、これに限らず、例えばアンダーカット係合により保持される構成としてもよい。
【００２９】
また、芳香剤保持部１５は、外筒部１５ｂと内筒部１５ｃの間で、底壁１５ｄから上方に突出する環状の区画壁１５ｅを有し、この区画壁１５ｅと、内筒部１５ｃと、底壁１５ｄとによって区画された環状の空間を芳香剤収容空間１５ａとしている。また、内筒部１５ｃの上端部には、差し込み筒部１５ｆが一体に連結されており、差し込み筒部１５ｆはシリンダー４の差し込み溝部４ｇに挿入されている。また、大径筒体４ｂの底部には、底部を貫通する孔４ｈが形成されており、当該孔４ｈを通して、芳香剤収容空間１５ａが、空気用ポンプ３を構成する大径筒体４ｂの内部の空間（加圧室）に連通している。
【００３０】
このように構成される吐出容器１０において、ノズルヘッド１４を押し下げると、中空ステム７が、エアーピストン１３に対して僅かにスライドする。換言するとエアーピストン１３のスライドは、中空ステム７のスライドよりも遅れて始まることになる。これにより、筒状ガイド１３ａの下端が中間フランジ７ｂ及び環状壁７ｄから離反する。これにより、大径筒体４ｂ内部のエアーピストン１３よりも下方の空間が、筒状ガイド１３ａと中空ステム７の間の隙間に連通する。ノズルヘッド１４の押し下げを継続すると、図２に示すように、エアーピストン１３の移動により、エアーピストン１３の下方の香り付きの空気が加圧され、かかる空気は、筒状ガイド１３ａと中空ステム７との間の空気流路、及び下部壁９ａと上部筒状壁７ｃとの間の空気流路を通って、合流空間Ｇに送り出される。
【００３１】
一方、小径筒体４ａでは、ポペット６の弁部６ａが小径筒体４ａの内面に当接して吸引口４ｃが閉じ、小径筒体４ａ内が加圧され、更なるノズルヘッド１４の押し下げにより中空ピストン５における内部通路ｔの出口からポペット６の弁部６ｂが離反し、内部通路ｔ内に存在する内容液が、中空ステム７の上部筒状壁７ｃの内側に流れ、ボール弁体Ｂを押し上げて合流空間Ｇへ流れる。
【００３２】
そして、合流空間Ｇにて気液混合状態となった内容液は、メッシュリング１２を通って泡状となり、ノズル１４ｇの内部を通って吐出口１４ｈから外部へ吐出される。
【００３３】
ノズルヘッド１４を押し切った後、押し下げにかかる力を取り除くと、スプリング８の反発力で中空ピストン５、中空ステム７は初期姿勢へと復帰する。
【００３４】
この復帰過程において、ポペット６は中空ピストン５の上方へのスライドに合わせて移動し、小径筒体４ａの吸引口４ｃが開き、また中空ピストン５における内部通路ｔの出口が閉じ、更にボール弁体Ｂが内向きフランジ７ｇに着座することによって小径筒体４ａ内が負圧となって、吸引口４ｃから小径筒体４ａ内に容器本体Ｃ内の内容液が吸引される。
【００３５】
一方、大径筒体４ｂでは、エアーピストン１３の上方へのスライドが遅れて始まるため、筒状ガイド１３ａの下端が中間フランジ７ｂに当接して空気流路が閉じた状態となる。このため、エアーピストン１３が上方へスライドすると、エアーピストン１３の内側は負圧となるため、開孔１３ｃを閉じていた逆止弁１１が開放され、外気導入口１４ｄから、外周壁１４ｂと中空頸部１ｃとの相互間、中空頸部１ｃと内周壁１４ａとの相互間、及び開孔１３ｃを通してエアーピストン１３の下方に空気が流入する。また、大径筒体４ｂの上部には、図１、２に示すように横孔４ｅが設けられていて、ベースキャップ１の中空頸部１ｃの内側を通った空気は、横孔４ｅを通して容器本体Ｃ内にも流入する。これにより、内容物が容器本体Ｃ内から吐出されても、容器本体Ｃ内が負圧状態のままになることはない。
【００３６】
このようにしてノズルヘッド１４の押し下げと初期姿勢への復帰を繰り返し行うことで、容器内の内容液を、香り付きの泡状混合物にして連続的に吐出させることができる。
【００３７】
以上説明したように、本実施形態に係る吐出容器１０は、外気導入口１４ｄから合流空間Ｇまでの空気流路に芳香剤収容空間１５ａが連通するように構成された芳香剤保持部１５を備えている。
【００３８】
したがって、本実施形態に係る吐出容器１０によれば、芳香剤収容空間１５ａに収容された芳香剤Ａから放出される香りが、合流空間Ｇへと向かう空気に付与されることとなる。そして、香りが付与された空気が合流空間Ｇに供給されることにより、発泡部材１２において香り付きの泡状混合物を形成し、これを吐出口１４ｈから吐出することができる。
【００３９】
このように、本実施形態に係る吐出容器１０によれば、予め内容液自体に香りを付与しなくても、香り付きの泡状混合物を吐出することができる。空気に香りを付与する構成とすることで、使用の途中で芳香剤Ａを異なる香りの芳香剤に詰め替えることも可能となる。また、予め内容液自体に香りが付与されている場合には、芳香剤収容空間１５ａに収容された芳香剤Ａから放出される香りによって、その香りを強めたり、他の香りを付与したりして、香りを調整することができる。
【００４０】
また、本実施形態に係る吐出容器１０にあっては、芳香剤保持部１５を、シリンダー４に対して着脱可能な構成としている。これにより、芳香剤Ａの効果が弱まった際などにおいて、芳香剤保持部１５を取り外して新たな芳香剤Ａを詰め替えて使用すれば、長期にわたって繰返し吐出容器１０を使用することができる。また、異なる香りの芳香剤を詰め替えることも可能である。また、芳香剤保持部１５自体を新たなものに付け替えてもよい。
【００４１】
さらに、本実施形態に係る吐出容器１０にあっては、芳香剤保持部１５を容器本体Ｃの内部に配置したことにより、吐出容器１０の外観を損ねることがない。
【００４２】
以下に、本発明の他の実施形態について説明する。なお、上述した実施形態と基本的な機能が同一である部分は、図中、同一の符号を付して説明を省略する。
【００４３】
図３は、本発明の他の実施形態に係る吐出容器２０を示している。吐出容器２０は、ノズルヘッド１４に対して着脱可能に装着された芳香剤保持部２５を備えている。芳香剤保持部２５は、芳香剤Ａが収容された芳香剤収容空間２５ａを有している。図４（ａ）にも示すように、芳香剤保持部２５は、筒状の側壁２５ｂと、側壁２５ｂの下端に連なる底壁２５ｃと、側壁２５ｂの上端開口を閉塞する蓋体２５ｄとを備えており、芳香剤収容空間２５ａは、当該側壁２５ｂ、底壁２５ｃ及び蓋体２５ｄによって区画形成されている。
【００４４】
側壁２５ｂには、筒状の挿入筒部２５ｅが設けられており、ノズルヘッド１４の外周壁１４ｂに形成された孔１４ｉに差し込まれている。これにより、芳香剤収容空間２５ａが、ノズルヘッド１４の外周壁１４ｂの内側の空間（吸気時に空気流路となる空間）に連通し、当該空間内の空気に香りが付与される。側壁２５ｂには、平面視略Ｃ字状の嵌合部２５ｆが設けられており、ノズルヘッド１４の外周壁１４ｂに当該嵌合部２５ｆを嵌合させることで、芳香剤保持部２５がノズルヘッド１４に保持される。側壁２５ｂには、嵌合部２５ｆの逆側から突出する把持部２５ｇが設けられており、芳香剤保持部２５を着脱する際に、把持し易くなっている。また、蓋体２５ｄは、ヒンジ部２５ｈを介して側壁２５ｂに一体連結されており、ヒンジ部２５ｈを支点に揺動することで、側壁２５ｂの上端開口を開閉可能となっている。また側壁２５ｂには、ヒンジ部２５ｈの逆側に指掛け部２５ｉが設けられている。
【００４５】
図４（ｂ）に示すように、使用前の芳香剤保持部２５は、挿入筒部２５ｅの先端開口を封止するフィルム等の封止部材２５ｊが設けられており、ノズルヘッド１４に対して装着する際に、当該封止部材２５ｊを取り除いてから、ノズルヘッド１４の孔１４ｉに挿入筒部２５ｅを差し込んで使用する構成とすることができる。なお、ノズルヘッド１４の孔１４ｉが形成される領域には、破断可能な薄肉部１４ｊを設けておき、挿入筒部２５ｅを差し込むことで薄肉部１４ｊを破断させてから使用する構成としてもよい。
【００４６】
図３に示す初期姿勢から、図５に示すように、ノズルヘッド１４を押し下げると、香りが付与された空気は外周壁１４ｂの内側の空間から、中空頸部１ｃと内周壁１４ａと間の空気流路を介して、シリンダー４内におけるエアーピストン１３の上方の空間に移動することとなる。ノズルヘッド１４が押し下げ状態から上方に復帰動作する際に、逆止弁１１が開放され、エアーピストン１３の上方の空間から開孔１３ｃを通してエアーピストン１３の下方に空気が流入する。そして、先の実施形態と同様に、ノズルヘッド１４を押し下げた際にエアーピストン１３の下方の空気が合流空間Ｇに移動し、内容液と共に泡状にされて吐出口１４ｈから吐出される。
【００４７】
以上のように、本実施形態の吐出容器２０においても、ノズルヘッド１４の押し下げと初期姿勢への復帰を繰り返し行うことで、容器内で空気に香りを付与して、内容液を、香り付きの泡状混合物にして連続的に吐出させることができる。
【００４８】
また、本実施形態に係る吐出容器２０にあっては、芳香剤保持部１５を、容器本体Ｃの外部に位置するノズルヘッド１４に対して着脱可能な構成としている。これにより、ベースキャップ１を容器本体Ｃの口部から取り外すことなく、より容易に芳香剤保持部１５の着脱を行うことができる。
【００４９】
また、本実施形態に係る吐出容器２０にあっては、ノズルヘッド１４から芳香剤保持部１５を取り外すことなく、蓋体２５ｄを開いて芳香剤Ａの詰め替え等を行うことができる。これにより、芳香剤Ａの詰め替えがより容易となる。
【００５０】
また、本実施形態に係る吐出容器２０にあっては、図３に示す初期姿勢において、環状部材１４ｅの凸部１４ｆがベースキャップ１の凸部１ｄに当接していることが好ましい。このような構成とすることで、香りが付与された外周壁１４ｂの内側の空気が外部に漏れ難くなるため、効率的に香りを付与することができる。
【００５１】
なお、本発明の技術的範囲は前記実施の形態に限定されるものではなく、本発明の趣旨を逸脱しない範囲において種々の変更を加えることが可能である。
【符号の説明】
【００５２】
１      ベースキャップ
１ａ    天面壁
１ｂ    外壁
１ｃ    中空頸部
１ｄ    凸部
１ｅ    リブ
２      内容液用ポンプ
３      空気用ポンプ
４      シリンダー
４ａ    小径筒体
４ｂ    大径筒体
４ｃ    吸引口
４ｄ    嵌合筒
４ｅ    横孔
４ｆ    係合筒部
４ｇ    差し込み溝部
４ｈ    孔
５      中空ピストン
６      ポペット
６ａ    弁部
６ｂ    弁部
７      中空ステム
７ａ    下部筒状壁
７ｂ    中間フランジ
７ｃ    上部筒状壁
７ｄ    環状壁
８      スプリング
９      カバー部材
９ａ    下部壁
９ｂ    上部壁
９ｃ    溝部
９ｄ    上部壁
１０    吐出容器
１１    逆止弁
１２    メッシュリング（発泡部材）
１３    エアーピストン
１３ａ  筒状ガイド
１３ｂ  隔壁
１３ｃ  開孔
１４    ノズルヘッド
１４ａ  内周壁
１４ｂ  外周壁
１４ｃ  縦溝
１４ｄ  外気導入口
１４ｅ  環状部材
１４ｆ  環状の凸部
１４ｇ  ノズル
１４ｈ  吐出口
１４ｉ  孔
１４ｊ  薄肉部
１５    芳香剤保持部
１５ａ  芳香剤収容空間
１５ｂ  外筒部
１５ｃ  内筒部
１５ｄ  底壁
１５ｅ  区画壁
１５ｆ  差し込み筒部
２０    吐出容器
２５    芳香剤保持部
２５ａ  芳香剤収容空間
２５ｂ  側壁
２５ｃ  底壁
２５ｄ  蓋体
２５ｅ  挿入筒部
２５ｆ  嵌合部
２５ｇ  把持部
２５ｈ  ヒンジ部
２５ｉ  指掛け部
２５ｊ  封止部材
Ａ      芳香剤
Ｂ      ボール弁体
Ｃ      容器本体
Ｇ      合流空間
ｐ      吸引パイプ
ｔ      内部通路
【図１】
2018016406.tif 000003
【図２】
2018016406.tif 000004
【図３】
2018016406.tif 000005
【図４】
2018016406.tif 000006
【図５】
2018016406.tif 000007